(57)【要約】本発明は、トイレットボウルの効果的洗浄および衛生手段を、使用者がこするブラシ本体に内部に液剤を含んでその塗布を介して構成するようにした異なった形態のトイレットブラシに関する。上記本体は中空であり、弾性材料でできている。さらに、前記本体の各端部は開口部を有し、さらに各開口部はカバーで保護され、出口部はまた、破壊可能な膜で密閉されている。本発明は、本体の出口へねじ込むことの可能な階段状近端部を有し、これにより膜を破って本体内部をアームの縦孔に連結するアームを具備する。縦孔は、異なる直径を有するセクションからなり、そしてその遠端に配置される頭部までのアームの長さ継続しており、前記頭部は、洗浄操作のためのブリストルのセットを具備している。通常では接近できない隠れた領域に接近するのに使用可能な角度のついた形態のものを設けるために頭部へ余分の部品を付けることも可能である。
2005528180.tif 000002
【特許請求の範囲】
【請求項１】
トイレットボウルの洗浄、衛生および殺菌作業への使用に向けて、使用者に衛生および殺菌剤の投与および塗布の制御を可能とする洗浄剤および／または殺菌剤の投与装置付きのトイレットブラシであって、二つの基本部材、すなわち、弾性体(1)および剛性体(7)が存在し、ここで、
弾性体(1)は、人間工学的に設計されており使用者が容易に手に取れ、そして内部はブラシでトイレットボウルに塗布する衛生剤および殺菌剤のためのハウジングを提供するように中空であり、さらに外部にねじ山を有する開口部であってキャップ(4)で閉塞される、該液剤を使い終わったら再充填するように本体内部に進入または接近するための前記開口部（２）を一端部に具備し、反対端部には、外部および内部にねじ山を有する開口部であって、外部にねじ山を有するキャップ(5)で閉塞される、内部容器空間からの液剤出口となる前記開口部(3)を具備し、
アーム (7)は、一般に細長く、階段状かつ本体(1)の内部ねじ山と相補する外部ねじ山を有する近端部を具備し、一方、遠端部は直径のより大きな頭部(8)を有し、その頭部には複数群のブリストル(9)が洗浄用に外面に渡って分配固定され、前記アーム
(7)は、近端部および遠端部の二者間の長さに沿って継続する縦通開口(10)を有する前記トイレットブラシ。
【請求項２】
本体(1)出口の開口部(3)に膜(6,6’)を組み込むと共に、それは出口開口部(3)の外部または内部に適用することができ、アーム(7)の階段状の近端部を前記開口へねじ込んで穿孔するまではこの開口を閉塞した状態におく、請求項１に記載のトイレットブラシ。
【請求項３】
アーム(7)の縦通開口 (10)は、不所望な液漏れを回避するためにサイフォン効果付きのボトルネック部分を作るように直径が変化している、請求項１に記載のトイレットブラシ。
【請求項４】
アーム(7)の近端部と本体(1)の開口部(3)との間の連結部位に２部材間の止め具として機能する中間リング(11)を設け、前記中間リング(11)が完全に取り外されるまでは、膜(6’)が前記アームの到達範囲に入ってそれにより穿孔されるのを回避する、請求項１〜３のいずれか一項に記載のトイレットブラシ。
【請求項５】
アーム(7)の遠端部に付設される頭部は、アーム(７)の縦軸に対して一定の角度を形成するように反転した付属物で角度をつけた形状のものでよく、前記付属物は、アーム内開口(10)に連結する縦通開口部(10’)、ならびに通常接近できない角部その他の場所への接近と洗浄のための複数群のブリストル(9’)を有する、請求項１〜４のいずれか一項に記載のトイレットブラシ。
【発明の詳細な説明】
【技術分野】
【０００１】
本発明は、洗浄剤および／または殺菌剤のための投与器付きのトイレットブラシに関し、それは、現状技術において同様目的のために使われる公知リソースに比べて新規かつ顕著な利点を有するという本質的特徴を備えるものである。
【０００２】
特に、本発明のブラシは、確実にトイレットを清浄および衛生にする製品を投与することに関して在来手法を用いては通常接近不可能な場所を含むトイレットのあらゆる箇所へ使用可能な装置を形成する。この目的を達成するために、本発明のブラシは、二つの基本部材、すなわち弾性体とアームとをベースに設計され、工場内または使用時に一緒に連結するように設計される。本体は、使用する製品を充填可能なハウジングを備え、そしてアームは、それ自体または一定角度に屈曲した末端付属物を使用することで、届かせたい領域への適用を可能にする。アーム (もし適用するならその付属物と)は、異なる直径の部位をもった縦長の開口を有し、使用者が弾性体に手で適当な圧力をかけたときに、洗浄/衛生剤は開口に沿って移動することができる。
【０００３】
本発明の適用分野は、家庭向けおよび工業向けの両方の洗浄用途をもつ製品および用具の製造を専門とする産業部門にあてはまるのは明確である。
【背景技術】
【０００４】
これまで、基礎部材、例えば家庭内その他のタイプの施設内のトイレットのような用途において洗浄行為を改善および強化することが可能であったのは公知である。
【０００５】
この意味において、使用方法の開発と歴史を簡単に触れると、このものへ水を導入することが大きな進歩を意味したといえる。なぜなら、それまでは、排泄物を取り出すだけか、あるいは便所内またはその目的に用意された場所に堆積させていたからである。
【０００６】
しかし、洗浄目的のために水を使用することでは、不快かつ不衛生な放散物を除去できなかった。そこで、大量の水を使用して悪臭を減じようとすることが必要であったが、所望する結果の達成はなかった。
【０００７】
この種の部材に弁(valve)を付設使用することにより、不快な臭気の放散をかなり減じることが可能になった。それでも悪臭を完全に排除することはできなかった。水は、悪臭に対して唯一有効な障壁と見られ、その結果、トラップの出現は顕著な進歩を見せ、あらゆる種類の臭気を回避し、その問題を解決することを可能にした。
【発明の開示】
【発明が解決しようとする課題】
【０００８】
こうして臭気の問題が解決した後は、トイレット洗浄はハンドブラシで行われた。しかし、最近の市場にあるトイレットブラシは、剛性でコンパクトなハンドルと、洗浄用繊維を収容する頂部または頭部とのみからできている。洗浄は、トイレットボウル（便器）をブリストルでこすることにより行われる。しかし、これらのブラシはどれも、殺菌剤のための供給装置、あるいは該液を運ぶためのなんらかの装置の形態を一切欠いている。そこで、使用者は、時々、瓶または広口瓶を使って、洗浄しようとするトイレットボウルの表面へ液滴または流れを注ぐ。その結果、その間に、病原性細菌が繁殖および成長して、さらに病原性微生物を完全排除する完璧な洗浄は不可能であるという事実を生じる。
【課題を解決するための手段】
【０００９】
本発明は、現状技術の欠点を解消するブラシを提供するという根本的な目的を提案している。これをするために、本発明のブラシは、ゴムなどの弾性材料でできた本体および剛性アームを用いて開発されている。本体は洗浄および消毒、殺菌性の公知の製品の所定量を入れる空間を提供するように中空であり、一端には、キャップで閉塞される進入開口を有し、それを介して、内部の製品が使い終わったときに充填される。反対端部には、本体と同一の材料または他の材料でできた膜で遮蔽される第二の開口があり、使用者は使用の際にアームの一端を本体の第二開口へねじ込むことにより穿孔することができる。該アームは縦通開口を有し、使用者が弾性体を手で軽く押したときに、液体は縦通開口を通って弾性体からアームの遠端へ向かって流れる。前記アームの遠端部は、ブリストルの付いた頭部を所持し、そしてその頭部は、該アームにあわせて真直ぐでもよく、あるいは一定角度に曲がった付属物を取り付け、トイレットのほとんど隠れた部分に届くようにしてもよい。
【００１０】
この種の装置では、ブラシによっていつでも必要な物量を制御された方法で投与することが可能となり、それは洗浄しようとするトイレットの汚れに応じて決まる。一方、角度の付いた付属物もまた、弾性体を手で押圧することによって、ほとんど隠れて接近し難い角部へ殺菌液の必要量を塗布することを可能にすることを意味する。これらの操作は、“離れて”行う、すなわち、本発明のブラシは使用者が健康に対して危険な結果を生ずる汚れへ接近する必要がないことを意味し、そして追加の付属物を用いれば、トイレットに衛生および無菌状態が備わって、使用者を潜在的な感染から永遠に保護し、また、その領域に悪臭を放散させずにおく。
【００１１】
本発明のブラシは、手で使用するに際して人間工学的寸法を用いて設計され、そしてまた操作しやすく、経済的で、長持ちする。本体は、誰でも保持でき、その製造に使用される材料は、現在の市場にあるさまざまな種類の安定で衛生的なものであり、一方、殺菌剤製品は、現在の産業によって提供されるものである。使用する洗剤容液は、好ましくは、最大の殺菌および消毒力を有する。
【００１２】
本発明のブラシのさらなる利点は、本体およびアームの双方が分離独立した部品からできており、それらのいずれも損傷または壊れたときに予備の同一部品と交換できることである。
【００１３】
本発明のこれらおよびその他の特徴および利点は、本発明の以下の好適な着想の詳細な説明を用いてより一層明らかになるが、これらは、純粋に説明のためにあり、限定する意味ではない。
【発明を実施するための最良の形態】
【００１４】
上記したように、本発明の好ましい着想における詳細な説明を、添付図面を用いて説明する。本明細書において、同一参照番号は、同一または同様の部分を参照するのに使用される。この意味において、まず、図1に本発明のトイレットブラシの第一着想態様に関連する図が示され、先が洗浄作業のためのブリストルの付いた同軸頭部で終わる直行アームタイプである。
【００１５】
この図に従うと、本発明のブラシは、ゴムなどの弾性材料でできており、かつトイレットボウルに塗布する衛生剤および殺菌剤を保持するための内部空間を作るために中空になっている本体1を具備する。本体1は、人間工学的であり、そして後述するように、前記本体を押圧して製品を内部から放出するように使用者の一の手に容易に納まる。さらに、該材料の弾性によって、使用者の手の圧力がなくなったときには本体１が元の形状に復帰することが可能である。
【００１６】
前記本体1は、各端部に開口を有し、その一つ2は、本体内部へ充填または接近するための開口であり、一方、反対端にある開口3は、適当な圧力下で押し出されたときに製品を内部から放出する。両開口は、キャップ4および5で閉塞され、出口用開口3はその内面に適当なねじ機構（図示せず）を有し、および随伴的に膜6で閉じられている。
【００１７】
ブラシの第二の部材は、アーム7であり一般に細長く、 最初の部分は通常、逆円錐形であり、続いて第二の部分は円柱の輪郭を呈する。アームの第一端部（近端部）は、階段状部分をもつように設計され、外部ねじ山（図示せず）が本体の開口3のねじ山と相補し、一方、他端、すなわち遠端部は、より大きい直径の頭部8部分を有し、洗浄作業用の複数群のブリストル9を含んでいる。
【００１８】
前記アーム7の内部には、一端から他端へ継続する開口10が存在し、それは、殺菌剤を本体1内部のハウジングからアームの遠端にある出口へ運び至って、そしてブリストル９を用いたそれ自体慣れた方式でそれを塗布する。この図1にある完成ブラシの図は、ブリストル群が頭部8の周りを完全に分配されている様子を示す。
【００１９】
さらに、アーム7の縦通開口は、均一の直径ではない。異なる直径をもつ多数の部位を有する。開口断面が減ずるこの着想では、液体がしたたるのを回避するサイフォン効果を作る。この図の詳細部“D4”は、異なる直径を有する連続した部分
10a、10bおよび10cを有し、そのうちの中間部分10bは“ボトルネック”の形状であり、他の２箇所よりもかなり狭い。この着想は、説明した効果を達成するために、縦通開口10の全長に渡って維持される。
【００２０】
その他、詳細部“Dl”、“D2”および“D3”は、すでに説明した特徴を簡単に説明するものであり、理解を助けるために寸法を拡大して示している。順に説明すると、キャップ4が本体1の開口2の箇所と連結し、膜6の箇所が本体1内の開口3の出口を閉鎖し、そしてその膜6を、キャップ5を用いて保護する。
【００２１】
組立品の実演は、分解された態様が好ましい。すなわち、本体１をアーム７から分離して、実際の使用者がそれを使用の際に組み立てるようにする。このためには、キャップ5を開口3のところからねじをゆるめて本体1から除去し、アーム7の近端の階段状の場所を開口３にねじ込み、次いで膜６を破って連結することで十分である。このようにして、本体1内部が、アームの開口10と連結される。そして、液体を、開口10を通してアーム7出口端、洗浄用ブリストル9の付いた頭部８に押しやるには、手の軽い圧力を前記弾性体１にかければ十分である。
【００２２】
図2に示す本発明のブラシの第二着想では、その特徴は図1の着想と同一であるが、ただし、本体1の底部において開口3を閉鎖する膜6’は、ここでは本体の内部に位置して最も内側の地点で開口を密閉するものであり、同一材料で作られ、そして本体１と一体化している。詳細部D2はこの部分をより明確に示し、膜は使用の瞬間まで、またキャップ5により保護される。さらに、第一着想の場合と同じく、組立品実演の好ましい態様は、本体およびアームの両部材を分離しておき、それらを使用するときに、アーム７の階段状端部を開口3にねじ込んで膜6’を破壊かつ穿孔するような方法で結合し、その結果、本体１の内部が開口１０の出口とつながる。
【００２３】
図3は、第三の別の着想にかかるトイレットブラシであり、同一の本体およびアーム部材から形成されるが、好ましくは使用者が組み立てる態様で供給される。しかし、本体1内部の空間が開口10出口と使用前に結合し、中の製品が漏れ得るのを回避するために、中間リング１１によってアーム7の階段状端部の近くを膜6’から離隔してそれを穿孔させない。中間リングは、２部品間で止め具の役割をはたし、膜がアーム端に届くのを防止する。組立品を使用する際に必要なすべてのことは、リング１１を手で軽く引っ張って取り除き、アーム7を完全に本体1にねじ込んで前記膜6’を破って、ブラシをすでに記載した方法で使用できるようにすることのみである。
【００２４】
最後に、図4を参照すると、本発明のすべての着想に使用可能な頭部8’の断面および完成品における概略図が示され、アーム７の軸に対して一定の角度を形成するように反転する角度のついた付属物を用いて改造されている。該付属物の特徴は、一方では、縦通開口10’を長さ全体に渡って有し、アーム7の開口と結合しかつ連通し、他方では複数群のブリストル9’を外面に分配させていることである。この配置により、使用者は本体1によって組立品を保持しながら、洗浄剤、衛生剤および殺菌剤を、他では接近できないようなすべての隠れた角部に塗布することができ、これによって、確実にトイレットボウル全体を最高に可能な衛生状態に保つ。
【００２５】
本発明のブラシは、現行技術で公知かつ使用されるものと比べて簡単で経済的で、そして用途の広い手段であり、洗浄、衛生および殺菌の既存の問題に対して実効性のある解決策を提供することがわかるはずである。
【００２６】
本体１は、中の製品が終わると、再充填可能であることが容易に理解される。これには、本体上の開口２を閉塞しているキャップ４を取り外し、続いて本体内部の使用済み製品を取替え、再充填し、もう一度前記進入開口２を閉塞するだけでよい。
【００２７】
当業者が本発明の範囲およびその利益を把握し、ここに記載した内容を開発および実行するためにさらに説明を要すると感じない。
【００２８】
本発明を好ましい着想に従って説明したが、本発明は、発明の原理に変更を全く加えないという条件で改良してもよいと理解されるべきであり、そのような改造は、特に組立品やその部品の形状、大きさおよび／または材質、本発明のブラシに使用し得る液体製品のさまざまな種類に及ぶ。
【図面の簡単な説明】
【００２９】
【図１】本発明の第一着想の縦断面および完成ブラシの概略正面図を、ブラシの構造的特徴を示す４つの細部と共に示す。
【図２】本発明の第二着想における図1と同様の概略図を示す。
【図３】本発明の第三着想における図1および２と同様の概略図を示す。
【図４】二つ概略図であって、それぞれ、アームに角度のついた付属物を含む着想におけるアームの端部の縦断面および完成品図を示す。
【図１】
2005528180.tif 000003
【図２】
2005528180.tif 000004
【図３】
2005528180.tif 000005
【図４】
2005528180.tif 000006
【国際調査報告】
2005528180.tif 000007
2005528180.tif 000008
2005528180.tif 000009
2005528180.tif 000010
2005528180.tif 000011
2005528180.tif 000012